(57)【要約】【課題】最大接続ベアラ数が互いに異なる無線通信システム間を移動した後も、ユーザーにとって優先度が高いベアラとの接続を維持すること。【解決手段】本発明は、移動端末が同時に接続可能なベアラ数である最大接続ベアラ数が互いに異なる無線通信システム間を移動可能な移動端末に適用される。移動端末は、ベアラ毎の優先度を記憶する記憶部と、前記移動端末が無線通信システム間を移動した時に、前記移動端末が移動前の無線通信システムで接続済みのベアラ数が、移動後の無線通信システムの最大接続ベアラ数を超える場合、ベアラ毎の優先度に基づいて、前記移動端末が移動前の無線通信システムで接続済みのベアラとの接続を維持または切断する制御部と、を有する。【選択図】図１
2013017082.tif 000002
【特許請求の範囲】
【請求項１】
移動端末が同時に接続可能なベアラ数である最大接続ベアラ数が互いに異なる無線通信システム間を移動可能な移動端末であって、
ベアラ毎の優先度を記憶する記憶部と、
前記移動端末が無線通信システム間を移動した時に、前記移動端末が移動前の無線通信システムで接続済みのベアラ数が、移動後の無線通信システムの最大接続ベアラ数を超える場合、ベアラ毎の優先度に基づいて、前記移動端末が移動前の無線通信システムで接続済みのベアラとの接続を維持または切断する制御部と、を有する移動端末。
【請求項２】
前記制御部は、
前記移動端末が移動前の無線通信システムで通信中のベアラよりも優先度が高いベアラ数が、移動後の無線通信システムの最大接続ベアラ数以上である場合、前記移動端末が移動前の無線通信システムで通信中のベアラの優先度が最も高くなるようにベアラ毎の優先度を更新し、更新後のベアラ毎の優先度に基づいて、前記移動端末が移動前の無線通信システムで接続済みのベアラとの接続を維持または切断する、請求項１に記載の移動端末。
【請求項３】
前記制御部は、
前記移動端末が移動前の無線通信システムで通信中でかつ優先度を最も高くしたベアラ上で一定時間通信がない場合、該ベアラとの接続を切断し、更新前のベアラ毎の優先度に基づいて、前記移動端末にベアラを接続する、請求項２に記載の移動端末。
【請求項４】
サービス毎の優先度をユーザーに設定させる操作部をさらに有し、
前記制御部は、
ユーザーが設定したサービス毎の優先度をベアラ毎の優先度に置換し、前記記憶部に記憶させる、請求項１から３のいずれか１項に記載の移動端末。
【請求項５】
前記移動端末が移動前の無線通信システムで接続済みのベアラのいずれかをユーザーに選択させる操作部をさらに有し、
前記制御部は、
ユーザーが選択したベアラの優先度が最も高くなるようにベアラ毎の優先度を決定し、前記記憶部に記憶させる、請求項１から３のいずれか１項に記載の移動端末。
【請求項６】
ベアラ毎の優先度をユーザーに設定させる操作部をさらに有し、
前記制御部は、
ユーザーが設定したベアラ毎の優先度を前記記憶部に記憶させる、請求項１から３のいずれか１項に記載の移動端末。
【請求項７】
前記制御部は、
各ベアラのＱＣＩに対応するＱＣＩ  Ｐｒｉｏｒｉｔｙに基づいてベアラ毎の優先度を決定し、前記記憶部に記憶させる、請求項１から３のいずれか１項に記載の移動端末。
【請求項８】
移動端末が同時に接続可能なベアラ数である最大接続ベアラ数が互いに異なる無線通信システム間を移動可能な移動端末が行うベアラ接続方法であって、
ベアラ毎の優先度を記憶し、
前記移動端末が無線通信システム間を移動した時に、前記移動端末が移動前の無線通信システムで接続済みのベアラ数が、移動後の無線通信システムの最大接続ベアラ数を超える場合、ベアラ毎の優先度に基づいて、前記移動端末が移動前の無線通信システムで接続済みのベアラとの接続を維持または切断する、ベアラ接続方法。
【発明の詳細な説明】
【技術分野】
【０００１】
本発明は、移動端末、ベアラ接続方法に関する。
【背景技術】
【０００２】
ＬＴＥ（Long Term Evolution）は、標準化団体である３ＧＰＰ（3rd Generation Partnership Project）が仕様を策定した新たな携帯電話の通信規格であり、日本でも２０１１年度からすでに商用サービスが開始されている。
【０００３】
今後は、ＬＴＥシステムと既存のＷ−ＣＤＭＡ（Wideband Code Division Multiple Access）システム間を移動端末がシームレスに移動可能となるネットワークシステムでも、追って商用サービスが開始される見込みである。
【０００４】
ＬＴＥの特徴の１つとして、移動端末が複数のベアラ（非特許文献１）に同時に接続可能であることが挙げられる。
【０００５】
ベアラとは、例えば、メールサービス、ブラウジングサービス、動画などのストリーミングサービス、ＶｏＩＰ（Voice over Internet Protocol）サービスなどの各商用サービスを提供するために必要な論理的な通信経路である。異なる商用サービスが同じベアラ上で提供されることもある。
【０００６】
そのため、ＬＴＥシステムにおいて、通信事業者が、移動端末を複数のベアラに同時に接続する商用サービスを提供することが予想される。
【０００７】
一方、既存のＷ−ＣＤＭＡシステムでは、移動端末を複数のベアラに同時に接続する商用サービスを提供する通信事業者はほとんどいない。
【０００８】
そのため、ＬＴＥシステムとＷ−ＣＤＭＡシステム間を移動端末がシームレスに移動可能となるネットワークシステムでの商用サービスの開始後、移動端末が同時に接続可能なベアラ数（以下、最大接続ベアラ数と称す）が、ＬＴＥシステムとＷ−ＣＤＭＡシステム間で異なるという事象が発生する可能性が十分考えられる。
【０００９】
無線通信システム毎に最大接続ベアラ数が異なるネットワークシステムにおいて、移動端末が無線通信システム間を移動した時に、移動前の無線通信システムで接続済みのベアラ数が、移動後の無線通信システムの最大接続ベアラ数を超えている場合、移動前の無線通信システム上ですでに接続済みのベアラの一部を切断する必要がある。
【００１０】
例えば、ＬＴＥシステムの最大接続ベアラ数が４本であり、Ｗ−ＣＤＭＡシステムの最大接続ベアラ数が１本である場合、ＬＴＥシステムで２本以上のベアラに接続済みである状態でＷ−ＣＤＭＡシステムに移動すると、１本以上のベアラを切断する必要がある。
【００１１】
具体的には、ＬＴＥシステムで４本のベアラに接続済みである場合は、Ｗ−ＣＤＭＡシステムへの移動時に、３本のベアラを切断する必要がある。
【先行技術文献】
【非特許文献】
【００１２】
【非特許文献１】3GPP TS24.301 3.1章（Default bearer）
【非特許文献２】3GPP TS23.203 6.1.7章（Table 6.1.7）
【発明の概要】
【発明が解決しようとする課題】
【００１３】
上述したように、無線通信システム毎に最大接続ベアラ数が異なるネットワークシステムにおいて、移動端末が無線通信システム間を移動した時に、移動前の無線通信システムで接続済みのベアラ数が、移動後の無線通信システムの最大接続ベアラ数を超えている場合、移動前の無線通信システムですでに接続済みのベアラの一部を切断する必要がある。
【００１４】
このとき、移動後の無線通信システムでは、接続を維持すべきベアラは一意に決められてしまっており、ユーザーにとって優先度の高いベアラ（例えば、ユーザーが意図するサービスで使用するベアラ）との接続を維持することができないという課題がある。
【００１５】
そこで、本発明の目的は、上述した課題を解決し、最大接続ベアラ数が互いに異なる無線通信システム間を移動した後も、ユーザーにとって優先度が高いベアラとの接続を維持することができる移動端末、ベアラ接続方法を提供することにある。
【課題を解決するための手段】
【００１６】
本発明の移動端末は、
移動端末が同時に接続可能なベアラ数である最大接続ベアラ数が互いに異なる無線通信システム間を移動可能な移動端末であって、
ベアラ毎の優先度を記憶する記憶部と、
前記移動端末が無線通信システム間を移動した時に、前記移動端末が移動前の無線通信システムで接続済みのベアラ数が、移動後の無線通信システムの最大接続ベアラ数を超える場合、ベアラ毎の優先度に基づいて、前記移動端末が移動前の無線通信システムで接続済みのベアラとの接続を維持または切断する制御部と、を有する。
【００１７】
本発明のベアラ接続方法は、
移動端末が同時に接続可能なベアラ数である最大接続ベアラ数が互いに異なる無線通信システム間を移動可能な移動端末が行うベアラ接続方法であって、
ベアラ毎の優先度を記憶し、
前記移動端末が無線通信システム間を移動した時に、前記移動端末が移動前の無線通信システムで接続済みのベアラ数が、移動後の無線通信システムの最大接続ベアラ数を超える場合、ベアラ毎の優先度に基づいて、前記移動端末が移動前の無線通信システムで接続済みのベアラとの接続を維持または切断する。
【発明の効果】
【００１８】
本発明によれば、最大接続ベアラ数が互いに異なる無線通信システム間を移動端末が移動した後も、ユーザーにとって優先度が高いベアラとの接続を維持することができるという効果が得られる。
【図面の簡単な説明】
【００１９】
【図１】本発明の一実施形態の移動端末の構成を示すブロック図である。
【図２】図１に示した移動端末の動作の流れを説明するフローチャートである。
【図３】図２に示した手順Ｓ１〜Ｓ９を具体的に説明する図である。
【図４】図２に示した手順Ｓ１０〜Ｓ１２を具体的に説明する図である。
【発明を実施するための形態】
【００２０】
以下に、本発明を実施するための形態について図面を参照して説明する。
【００２１】
図１は、本実施形態の移動端末の構成を示すブロック図である。なお、図１は、本発明に関連する構成要素だけを抜粋して示している。
【００２２】
図１に示すように、本実施形態の移動端末は、アンテナを含み、基地局と無線通信を行う無線部１００と、移動端末内の各構成要素を制御する制御部２００と、各種の情報を表示する表示部３００と、各種の操作が行われる操作部４００と、各種の情報を記憶する記憶部５００と、を有している。
【００２３】
以下、本実施形態の移動端末の動作について、図２〜図４を参照して説明する。ここでは、図２のフローチャートの流れに沿って説明を行う。
（１）手順Ｓ１
まず、ユーザーは、操作部４００を用いて、表示部３００上で、図３に示すような「サービス毎の優先度」の設定を行う。制御部２００は、「サービス毎の優先度」の設定内容を記憶部５００に記憶させる。
【００２４】
例えば、図３の例では、ユーザーは、ブラウジングサービス、メールサービス、通信ゲームサービス、ストリーミングサービス、およびＶｏＩＰサービスの各サービスについて、優先度を設定している。
（２）手順Ｓ２
次に、制御部２００は、ユーザーが設定した「サービス毎の優先度」を「ベアラ毎の優先度」に置換する。
【００２５】
そのために、制御部２００は、図３に示すような、サービスとそのサービスで使用するベアラとを対応付けた「サービス／ベアラ対応表」を、予め記憶部５００に記憶させておく。
【００２６】
そして、制御部２００は、「サービス毎の優先度」に記述された個々のサービスで使用するベアラを、「サービス／ベアラ対応表」を検索して求め、ベアラの優先度を、そのベアラを使用するサービスの優先度に決定し、図３に示すような「ベアラ毎の優先度」を記憶部５００に記憶させる。このとき、２つ以上のサービスで同じベアラを使用する場合、そのベアラの優先度を、優先度が高い方のサービスの優先度に決定する。
【００２７】
例えば、図３の例では、ユーザーに設定されたブラウジングサービスの優先度は「４」である。ブラウジングサービスは、「サービス／ベアラ対応表」を検索すると、ベアラＡを使用することが分かる。よって、ベアラＡの優先度は「４」となる。
【００２８】
また、ユーザーに設定されたメールサービスおよび通信ゲームサービスの優先度は、それぞれ「３」、「５」である。しかし、「サービス／ベアラ対応表」を検索すると、メールサービスと通信ゲームサービスは共に、ベアラＢを使用することが分かる。そのため、ベアラＢの優先度としては、メールサービスの優先度「３」および通信ゲームサービスの優先度「５」のうち、優先度が高い方のメールサービスの優先度「３」を選択する。よって、ベアラＢの優先度は「３」となる。
（３）手順Ｓ３
移動端末は、ＬＴＥシステムに在圏中、利用するサービスに応じたベアラに接続する。
【００２９】
制御部２００は、移動端末が接続済みのベアラ数や、実際に接続済みのベアラの情報を記憶部５００に記憶させる。なお、制御部２００は、ＬＴＥシステムおよびＷ−ＣＤＭＡシステムのそれぞれの最大接続ベアラ数を予め記憶部５００に記憶させておく。
【００３０】
図３の例では、移動端末は、ＬＴＥシステムで４つのベアラＡ，Ｂ，Ｃ，Ｄに接続済みである（このうちベアラＡと通信中）。また、ＬＴＥシステムの最大接続ベアラ数は「４」で、Ｗ−ＣＤＭＡシステムの最大接続ベアラ数は「１」である。
（４）手順Ｓ４
移動端末は、ＬＴＥシステムからＷ−ＣＤＭＡシステムへの移動を開始する。
（５）手順Ｓ５
制御部２００は、記憶部５００に記憶されている、移動端末がＬＴＥシステムで接続済みのベアラ数と、Ｗ−ＣＤＭＡシステムの最大接続ベアラ数と、を比較する。
【００３１】
もし、移動端末がＬＴＥシステムで接続済みのベアラ数が、Ｗ−ＣＤＭＡシステムの最大接続ベアラ数を超えている場合は、制御部２００は、移動端末が接続済みのベアラを切断する必要があると判断して手順Ｓ６に進む。超えていない場合は、移動端末が接続済みのベアラを切断する必要がないと判断して手順Ｓ９に進む。
【００３２】
例えば、図３の例では、移動端末がＬＴＥシステムで接続済みのベアラ数は「４」であり、Ｗ−ＣＤＭＡシステムの最大接続ベアラ数「１」を超えている。よって、移動端末がＬＴＥシステムで接続済みのベアラを切断する必要があると判断して手順Ｓ６に進む。
（６）手順Ｓ６
移動端末がＬＴＥシステムで接続済みのベアラ数が、Ｗ−ＣＤＭＡシステムの最大接続ベアラ数を超えている場合、制御部２００は、記憶部５００に記憶されている、移動端末がＬＴＥシステムで接続済みのベアラを抽出する。そして、抽出した各ベアラについて、ＬＴＥシステムからＷ−ＣＤＭＡシステムへの移動を開始した直前の単位時間内に該当ベアラ上で送受信されたデータ量を監視し、送受信されたデータがあれば通信中と判断し、送受信されたデータがなければ非通信中と判断する。
【００３３】
もし、通信中のベアラが１つ以上存在し、かつ、通信中のベアラよりも優先度が高いベアラ数が、Ｗ−ＣＤＭＡシステムの最大接続ベアラ数以上である場合、制御部２００は、通信中でかつ切断対象のベアラがあると判断して手順Ｓ７に進む。そのようなベアラがない場合は手順Ｓ８に進む。
【００３４】
例えば、図３の例では、移動端末がＬＴＥシステムで接続済みの４本のベアラＡ，Ｂ，Ｃ，Ｄの「ベアラ毎の優先度」は、ベアラＤ＞Ｃ＞Ｂ＞Ａである。すなわち、通信中のベアラＡよりも優先度が高いベアラ数は「３」であり、Ｗ−ＣＤＭＡシステムの最大接続ベアラ数「１」以上となっている。よって、ベアラＡが通信中でかつ切断対象のベアラであると判断して手順Ｓ７に進む。
（７）手順Ｓ７
通信中でかつ切断対象のベアラがある場合、制御部２００は、記憶部５００に記憶されている「ベアラ毎の優先度」を読み出し、通信中のベアラの優先度が最も高くなるように「ベアラ毎の優先度」を更新する。更新後の「ベアラ毎の優先度」は内部に保持しておく。なお、通信中のベアラが複数ある場合、通信中のベアラ間の優先度は、記憶部５００に記憶されている更新前の「ベアラ毎の優先度」に従う。
【００３５】
例えば、図３の例では、移動端末がＬＴＥシステムで接続済みの４本のベアラＡ，Ｂ，Ｃ，Ｄの「ベアラ毎の優先度」は、ベアラＤ＞Ｃ＞Ｂ＞Ａとなっている。よって、通信中のベアラＡの優先度を最も高くし、更新後の「ベアラ毎の優先度」は、ベアラＡ＞Ｄ＞Ｃ＞Ｂとなる。
（８）手順Ｓ８
制御部２００は、通信中でかつ切断対象のベアラがある場合は、手順Ｓ７で更新した更新後の「ベアラ毎の優先度」に従い、通信中でかつ切断対象のベアラがない場合は、記憶部５００に記憶されている更新前の「ベアラ毎の優先度」に従い、優先度の低いベアラから順に、｛（ＬＴＥシステムで接続済みのベアラ数）−（Ｗ−ＣＤＭＡシステムの最大接続ベアラ数）｝本のベアラを切断する。
【００３６】
例えば、図３の例では、通信中でかつ切断対象のベアラＡがあり、更新後の「ベアラ毎の優先度」は、ベアラＡ＞Ｄ＞Ｃ＞Ｂである。また、移動端末がＬＴＥシステムで接続済みのベアラ数は「４」であり、Ｗ−ＣＤＭＡシステムの最大接続ベアラ数は「１」であり、ベアラを切断する本数は「３」となる。よって、優先度の低い３本のＢ，Ｃ，Ｄを、この順に切断する。
（９）手順Ｓ９
移動端末は、Ｗ−ＣＤＭＡシステムへの移動を完了し、接続維持しているベアラ上での通信を継続する。
【００３７】
例えば、図３の例では、移動端末は、Ｗ−ＣＤＭＡシステムでも、ＬＴＥシステムで通信中であったベアラＡとの接続を維持し、ベアラＡ上での通信を継続する。
（１０）手順Ｓ１０
手順Ｓ６，Ｓ７で、切断対象であったが通信中のために優先度を一時的に最も高くして接続維持したベアラがある場合、制御部２００は、手順Ｓ１１に進む。そのようなベアラがない場合、手順Ｓ１２に進む。
【００３８】
例えば、図３の例では、ベアラＡの優先度を一時的に最も高くしている。そのため、図３で移動端末がＷ−ＣＤＭＡシステムへの移動を完了した後の状態を示す図４の例では、手順Ｓ１１に進む。
（１１）手順Ｓ１１
優先度を一時的に最も高くしたベアラ上で一定時間通信がない場合、制御部２００は、該当ベアラを切断し、記憶部５００に記憶されている更新前の「ベアラ毎の優先度」に従い、優先度の高いベアラから順に、（Ｗ−ＣＤＭＡシステムの最大接続ベアラ数）本のベアラを移動端末に接続する。
【００３９】
例えば、図４の例では、記憶部５００に記憶されている、４本のベアラＡ，Ｂ，Ｃ，Ｄの更新前の「ベアラ毎の優先度」は、ベアラＤ＞Ｃ＞Ｂ＞Ａである。しかし、Ｗ−ＣＤＭＡシステムの最大接続ベアラ数が「１」であり、ベアラＡが通信中のベアラであるため、ベアラＡの優先度を一時的に最も高くしている。よって、ベアラＡ上で一定時間通信がない場合、ベアラＡを切断し、更新前の「ベアラ毎の優先度」に従い、優先度の最も高いベアラＤを移動端末に接続する。
（１２）手順Ｓ１２
移動端末は、接続済みのベアラとの接続を維持する。
【００４０】
例えば、図４の例では、移動端末は、ベアラＡ上で一定時間内に通信が行われた場合、ベアラＡとの接続を維持し、ベアラＡ上で一定時間通信がない場合、ベアラＡを切断してベアラＤと接続し、ベアラＤとの接続を維持する。
【００４１】
上述したように本実施形態では、移動端末がＬＴＥシステムからＷ−ＣＤＭＡシステムへ移動した時に、移動端末がＬＴＥシステムで接続済みのベアラ数が、Ｗ−ＣＤＭＡシステムの最大接続ベアラ数を超える場合、ベアラ毎の優先度に基づいて、移動端末がＬＴＥシステムで接続済みのベアラとの接続を維持または切断する。
【００４２】
したがって、ユーザーにとって優先度が高いベアラについては、Ｗ−ＣＤＭＡシステムでも接続を維持することができ、一方、ユーザーにとって優先度が低いベアラについては、接続を切断することができる。
【００４３】
ただし、移動端末がＬＴＥシステムで通信中のベアラの優先度が低い場合、移動端末がＬＴＥシステムからＷ−ＣＤＭＡシステムへ移動した時に、通信中のベアラが切断対象となる可能性がある。その場合、移動端末がＬＴＥシステムで行っていたベアラ上の通信が中断されてしまう。
【００４４】
そこで、本実施形態では、移動端末がＬＴＥシステムで通信中のベアラよりも優先度が高いベアラ数が、Ｗ−ＣＤＭＡシステムの最大接続ベアラ数以上である場合、移動端末がＬＴＥシステムで通信中のベアラの優先度が最も高くなるようにベアラ毎の優先度を更新し、更新後のベアラ毎の優先度に基づいて、移動端末がＬＴＥシステムで接続済みのベアラとの接続を維持または切断する。
【００４５】
したがって、移動端末がＬＴＥシステムで行っていたベアラ上の通信を、Ｗ−ＣＤＭＡシステムでも継続することができる。
【００４６】
ただし、移動端末がＬＴＥシステムで通信中であったために、優先度を一時的に最も高くしたベアラを、Ｗ−ＣＤＭＡシステムへの移動後も、ユーザーもしくはネットワークが切断するまで接続を維持し続ける場合、ユーザーが、まだ携帯端末に接続されていないベアラを使用するサービスでの通信を開始する際には、元のベアラを切断し、新しいサービスで使用するベアラを接続するというベアラの接続し直しが必要となる。
【００４７】
しかし、ベアラの接続し直しは時間がかかるため、ユーザーにとって優先度の高い新しいサービスでの通信を開始するまでに時間がかかってしまう。
【００４８】
そこで、本実施形態では、移動端末がＬＴＥシステムで通信中でかつ優先度を最も高くしたベアラ上で一定時間通信がない場合、そのベアラとの接続を切断し、更新前のベアラ毎の優先度に基づいて、移動端末にベアラを接続する。
【００４９】
したがって、本来は優先度が高いベアラを使用するサービスの通信開始時に、ベアラの接続し直しが発生しないため、ユーザーにとって優先度の高いサービスでの通信を開始するまでの時間を短縮することができる。
【００５０】
以上、実施形態を参照して本発明を説明したが、本発明は上記実施形態に限定されるものではない。本発明の構成や詳細には、本発明の範囲内で当業者が理解し得る様々な変更をすることができる。
（Ａ）例えば、上記実施形態では、移動端末がＬＴＥシステムとＷ−ＣＤＭＡシステム間を移動する場合の手順について説明したが、本発明では、無線通信システムはＬＴＥシステムとＷ−ＣＤＭＡシステムに限定されない。
（Ｂ）また、上記実施形態では、ＬＴＥシステムとＷ−ＣＤＭＡシステムの最大接続ベアラ数がそれぞれ「４」と「１」であるものとして説明したが、本発明では、最大接続ベアラ数はこれに限定されない。
（Ｃ）また、上記実施形態では、制御部２００は、ユーザーが設定した「サービス毎の優先度」を置換して、「ベアラ毎の優先度」を決定したが、本発明はこれに限定されない。
【００５１】
例えば、制御部２００は、以下の方法で「ベアラ毎の優先度」を求め、記憶部５００に記憶させても良い。
（Ｃ−１）制御部２００は、ＬＴＥシステムからＷ−ＣＤＭＡシステムへの移動時に、ＬＴＥシステムで接続済みのベアラを表示部３００にポップアップで表示し、その中からユーザーに操作部４００を用いてベアラを選択させ、ユーザーが選択したベアラの優先度が最も高くなるように「ベアラ毎の優先度」を決定しても良い。この場合、ユーザーに２本以上のベアラを選択させ、さらに、選択したベアラの優先度をユーザーに選択させても良い。なお、ユーザーに選択されなかったベアラの優先度の決定方法は任意の方法で良い。
（Ｃ−２）制御部２００は、ユーザーに操作部４００を用いて「ベアラ毎の優先度」を直接設定させても良い。
（Ｃ−３）制御部２００は、非特許文献２に規定されるＱＣＩ（QoS class identifier）  Ｐｒｉｏｒｉｔｙに従い、「ベアラ毎の優先度」を決定しても良い。例えば、ベアラＡ，Ｂ，Ｃ，ＤのＱＣＩがそれぞれ「１」、「３」、「５」、「７」の場合、非特許文献２のＴａｂｌｅ  ６．１．７より、各ＱＣＩに対応するＰｒｉｏｒｉｔｙは、「２」、「３」、「１」、「７」であるため、「ベアラ毎の優先度」を、ベアラＣ＞Ａ＞Ｂ＞Ｄと決定する。
【符号の説明】
【００５２】
１００    無線部
２００    制御部
３００    表示部
４００    操作部
５００    記憶部
【図１】
2013017082.tif 000003
【図２】
2013017082.tif 000004
【図３】
2013017082.tif 000005
【図４】
2013017082.tif 000006